(57)【特許請求の範囲】
【請求項１】
動力工具に取付け可能な再充電可能なバッテリパックであって、
再充電可能なバッテリと、
セグメントの配列を含むディスプレイと、
前記再充電可能なバッテリの充電レベルを感知する充電センサと、
第１のディスプレイコマンドを入力するためのユーザ作動可能なディスプレイスイッチと、
前記動力工具によって前記再充電可能なバッテリから引き出される電流レベルを感知する電流センサと、
前記再充電可能なバッテリの異常状態を検出する異常検出器と、
前記ディスプレイの点灯状態を制御して前記セグメントを進行的に点灯して、
ｉ）充電ディスプレイ状態において、前記第１のディスプレイコマンドの受信後に、所定の時間に亘って前記充電センサによって検出される充電のレベルを表し、且つ
ｉｉ）前記充電ディスプレイ状態と異なる電流ディスプレイ状態において、前記電流センサによって検出される電流のレベルを表すために、
前記ディスプレイ、前記充電センサ、前記ディスプレイスイッチ、前記電流センサ、及び前記異常検出器に動作可能に接続される、コントローラとを含み、
前記電流ディスプレイ状態は、前記異常検出器によって検出される異常が存在しない限り、並びに前記第１のディスプレイコマンドが存在しない限り、初期設定状態においてアクティブである、
再充電可能なバッテリパック。
【請求項２】
照らされるセグメントは、前記充電ディスプレイ状態及び前記電流ディスプレイ状態の各々において連続的に照らされ、前記電流ディスプレイ状態は、前記セグメントの各々のセグメントの照明の色に関して、前記充電ディスプレイ状態と異なる、請求項１に記載の再充電可能なバッテリパック。
【請求項３】
前記セグメントの前記配列は、実質的に線形配列であり、前記進行的に点灯されるセグメントは、棒グラフ型ディスプレイを形成する、請求項１に記載の再充電可能なバッテリパック。
【請求項４】
前記実質的に線形配列の一端に配置される前記セグメントのうちの第１のものだけを前記充電ディスプレイ状態及び前記電流ディスプレイ状態の両方において点灯して、低充電レベル及び低電流レベルをそれぞれ示す、請求項３に記載の再充電可能なバッテリパック。
【請求項５】
前記ディスプレイスイッチは、瞬時スイッチであり、前記ディスプレイスイッチの作動後の前記所定の時間は、４秒未満である、請求項１乃至４のうちのいずれか１項に記載の再充電可能なバッテリパック。
【請求項６】
前記コントローラは、前記セグメントの点灯状態を制御して、前記電流ディスプレイ状態及び前記充電ディスプレイ状態の両方と異なる異常ディスプレイ状態において、前記異常検出器によって検出されるような当該再充電可能なバッテリパックの異常状態を表すように更に構成され、前記異常ディスプレイ状態は、前記充電ディスプレイ状態及び前記電流ディスプレイ状態をオーバーライドする、請求項１乃至４のうちのいずれか１項に記載の再充電可能なバッテリパック。
【請求項７】
前記異常ディスプレイ状態は、前記セグメントの照明のパターンに関して、前記充電ディスプレイ状態及び前記電流ディスプレイ状態と異なる、請求項６に記載の再充電可能なバッテリパック。
【請求項８】
当該再充電可能なバッテリパックは、
バッテリ充電レベルが所定のレベルの間で上昇させられるバッテリ充電サイクルを検出する充電サイクル検出器と、
前記バッテリ充電サイクルの累積数を記録するメモリとを含み、
前記ディスプレイスイッチは、第２のディスプレイコマンドを入力するためにユーザ作動可能であり、
前記充電ディスプレイ状態及び前記電流ディスプレイ状態の両方と異なるサイクルディスプレイ状態において、前記第２のディスプレイコマンドの受信後に、前記コントローラは、前記ディスプレイの前記点灯状態を制御して、前記セグメントを進行的に点灯して、前記バッテリ充電サイクルの累積数のレベルを表し、
前記電流ディスプレイ状態は、前記第２のディスプレイコマンドが更に存在しない限り、前記初期設定状態においてアクティブである、
請求項１乃至４のうちのいずれか１項に記載の再充電可能なバッテリパック。
【請求項９】
前記サイクルディスプレイ状態は、前記セグメントの各々のセグメントの照明の色に関して、前記充電ディスプレイ状態及び前記電流ディスプレイ状態と異なる、請求項８に記載の再充電可能なバッテリパック。
【請求項１０】
前記セグメントのうちの第１のものだけを前記サイクルディスプレイ状態において点灯して、バッテリ充電サイクルの低い累積数を示す、請求項８に記載の再充電可能なバッテリパック。
【請求項１１】
前記コントローラは、前記ディスプレイスイッチの作動の持続時間に基づいて、前記第１の入力コマンドと前記第２の入力コマンドとの間を区別するように構成される、請求項８に記載の再充電可能なバッテリパック。
【請求項１２】
前記コントローラは、
ｉ）前記第１のディスプレイコマンドが第１の持続時間に亘る前記ディスプレイスイッチの作動の検出後に受信されることを決定し、且つ
ｉｉ）前記第２のディスプレイコマンドが前記第１の持続時間よりも長い所定の閾値持続時間を上回る第２の持続時間に亘る前記ディスプレイスイッチの作動の検出後に受信されることを決定する、
ように構成される、
請求項１１に記載の再充電可能なバッテリパック。
【発明の詳細な説明】
【技術分野】
【０００１】
本発明は、パワーツール(動力工具)用の再充電可能なバッテリパックに関し、特にバッテリパックの動作状態を示すディスプレイを備えるバッテリパックに関する。
【背景技術】
【０００２】
再充電可能なバッテリパックは、バッテリパックの残存容量を表示するための、照明されるディスプレイを含むことがある。米国特許第８，９４０，４２７号明細書は、パワーツールと共に使用するための再充電可能なバッテリパックを記載しており、それは残存容量と再充電可能なバッテリの異常を表示するための４つのＬＥＤ素子を備えるディスプレイユニットを含む。ディスプレイユニットが残存容量又は異常状態を表示するコマンドを受信することを可能にするために、ディスプレイユニットに隣接してユーザ作動可能なディスプレイスイッチが設けられる。バッテリパックが動作中のパワーツールに取り付けられるとき、異常状態が起こらない限り、ディスプレイは休止している。この種のパワーツールを使用するときには、再充電スケジュールを予測することができるように、バッテリ充電レベルが低下している速度の表示を提供するために、バッテリパックのディスプレイスイッチを定期的に押すことが必要である。ディスプレイスイッチがツールのハンドルから離間しているとき、充電レベルを示すためにディスプレイスイッチを定期的に押すことは、パワーツールを使用しているタスクを中断させる。この不利点を克服又は実質的に改良することが、より一般的には、改良された再充電可能なバッテリパックを提供することが、本発明の目的である。
【発明の概要】
【０００３】
本発明の第１の態様によれば、動力工具に取付け可能な再充電可能なバッテリパックであって、
再充電可能なバッテリと、
セグメントの配列を含むディスプレイと、
再充電可能なバッテリの充電レベルを感知する充電センサと、
第１のディスプレイコマンドを入力するためのユーザ作動可能なディスプレイスイッチと、
動力工具によって再充電可能なバッテリから引き出される電流レベルを感知する電流センサと、
再充電可能なバッテリの異常状態を検出する異常検出器と、
ディスプレイの点灯状態を制御してセグメントを進行的に点灯して、
ｉ）充電ディスプレイ状態において、第１のディスプレイコマンドの受信後に、所定の時間に亘って充電センサによって検出される充電のレベルを表し、且つ
ｉｉ）充電ディスプレイ状態と異なる電流ディスプレイ状態において、電流センサによって検出される電流のレベルを表すために、
ディスプレイ、充電センサ、ディスプレイスイッチ、電流センサ、及び異常検出器に動作可能に接続される、コントローラとを含み、
電流ディスプレイ状態は、異常検出器によって検出される異常が存在しない限り、並びに第１のディスプレイコマンドが存在しない限り、初期設定状態においてアクティブである、
再充電可能なバッテリパックが提供される。
【０００４】
電流ディスプレイ状態で充電ディスプレイ状態を補足することによって、ユーザは異なるタスクのエネルギ強度の指標(表示)(indication)を与えられ、ユーザがバッテリパックに利用可能な残存稼動時間(remaining  run  time)をより良く予期することを可能にする。
【０００５】
好ましくは、照らされるセグメントは、充電ディスプレイ状態及び電流ディスプレイ状態の各々において連続的に照らされ、電流ディスプレイ状態は、セグメントの各々のセグメントの照明の色に関して、充電ディスプレイ状態と異なる。
【０００６】
好ましくは、セグメントの前記配列は、実質的に線形配列であり、進行的に点灯されるセグメントは、棒グラフ型ディスプレイを形成する。
【０００７】
好ましくは、実質的に線形配列の一端に配置されるセグメントのうちの第１のものだけを充電ディスプレイ状態及び電流ディスプレイ状態の両方において点灯して、低充電レベル及び低電流レベルをそれぞれ示す。このように行うことによって、棒グラフディスプレイは、常に同じ方向に延びて、レベルの増大を示す。
【０００８】
好ましくは、ディスプレイスイッチは、瞬時スイッチであり、ディスプレイスイッチの作動後の所定の時間は、４秒未満、より好ましくは、約２秒である。
【０００９】
好ましくは、コントローラは、セグメントの点灯状態を制御して、電流ディスプレイ状態及び充電ディスプレイ状態の両方と異なる異常ディスプレイ状態において、異常検出器によって検出されるような再充電可能なバッテリパックの異常状態を表すように更に構成され、異常ディスプレイ状態は、充電ディスプレイ状態及び電流ディスプレイ状態をオーバーライドする(無効にする)(overrides)。
【００１０】
好ましくは、異常ディスプレイ状態は、セグメントの照明のパターンに関して、充電ディスプレイ状態及び電流ディスプレイ状態と異なる。
【００１１】
好ましくは、再充電可能なバッテリパックは、
バッテリ充電レベルが所定のレベルの間で上昇させられるバッテリ充電サイクルを検出する充電サイクル検出器と、
バッテリ充電サイクルの累積数を記録するメモリとを含み、
ディスプレイスイッチは、第２のディスプレイコマンドを入力するためにユーザ作動可能であり、
充電ディスプレイ状態及び前記電流ディスプレイ状態の両方と異なるサイクルディスプレイ状態において、第２のディスプレイコマンドの受信後に、コントローラは、ディスプレイの点灯状態を制御して、セグメントを進行的に点灯して、バッテリ充電サイクルの累積数のレベルを表し、
電流ディスプレイ状態は、第２のディスプレイコマンドが更に存在しない限り、初期設定状態においてアクティブである。
【００１２】
好ましくは、異常ディスプレイ状態は、サイクルディスプレイ状態をオーバーライドする。
【００１３】
好ましくは、サイクルディスプレイ状態は、セグメントの各々のセグメントの照明の色に関して、充電ディスプレイ状態及び電流ディスプレイ状態と異なる。
【００１４】
好ましくは、セグメントのうちの第１のものだけをサイクルディスプレイ状態において点灯して、バッテリ充電サイクルの低い累積数を示す。
【００１５】
好ましくは、コントローラは、ディスプレイスイッチの作動の持続時間に基づいて、第１の入力コマンドと第２の入力コマンドとの間を区別するように構成される。コントローラは、第１のディスプレイコマンドが第１の持続時間に亘るディスプレイスイッチの作動の検出後に受信されることを決定し、且つ第２のディスプレイコマンドが第１の持続時間よりも長い所定の閾値持続時間を上回る第２の持続時間に亘るディスプレイスイッチの作動の検出後に受信されることを決定する、ように構成される。
【００１６】
好ましくは、再充電可能なバッテリパックは、例えば、２Ａｈ又は４Ａｈの容量を備える、５８Ｖバッテリである。
【００１７】
本発明は、燃料計としてのみならず、バッテリパック、ひいては、通常動作中にバッテリパックが取り付けられるツールに対する負荷の量を自動的に表示する負荷計としても使用することができる、再充電可能なバッテリパックのためのディスプレイを提供することにより、オペレータ又はユーザが、実行されている作業の状態を容易に決定してバッテリの残存稼動時間を評価するのを支援する。これは、バッテリパック、ひいては、バッテリパックが取り付けられるツールの安全性及び操作上の有効性を向上させる。
【００１８】
次に、添付の図面を参照して、本発明の好ましい形態を一例として記載する。
【図面の簡単な説明】
【００１９】
【図１Ａ】本発明の１つの実施形態に従った再充電可能なバッテリパックの斜視図である。
【図１Ｂ】図１のバッテリパックの端面図である。
【図２】図１Ａのバッテリパックの主要な機能的構成要素のブロック図である。
【図３】図１Ａのバッテリパックにおけるディスプレイを棒グラフの形態において例示している。
【発明を実施するための形態】
【００２０】
図１Ａ及び図１Ｂは、パワーツール(動力工具)（例えば、送風機、芝刈機、トリマ）に電力を提供することができ、チャージャ(充電器)から電力を受け取ることができる、再充電可能なバッテリパック１０を示している。この実施形態において、バッテリパック１０は、リチウムベースの化学的性質を有し、５８Ｖの公称電圧及び４Ａｈの容量を有する。
【００２１】
図１Ａに示すように、バッテリパック１０は、（面取りされた又は丸められたエッジを備える）概ね長方形のプリズム状ハウジング１２を含む。フレーム１４が、ネジ１６によって、ハウジング１２の長手方向端に配置された前壁１８に取り付けられている。フレーム１４は、実質的にＵ字形であり、ハウジング１２の前壁１８の３つのエッジの回りに延在している。フレーム１４は、Ｕ形状のフレーム１４の平行なアーム２２を横断して接続されたハンドル部２０を更に含む。ハウジング１２の前壁１８とフレーム１４とは離間させられて、ユーザが自分の手を挿入してバッテリパック１０を持つためにハンドル２０を掴むことがある空間を提供する。後端から前端に向かって延びる通気孔２４が、ハウジング１２の頂壁２６と側壁２８の各々との間に形成されている。
【００２２】
ハウジング１２の前壁１８は、例えば、線形配列(アレイ)において配置された４つのセグメントによって形成されたディスプレイ３０を含んでよい。４つのセグメントは、それぞれ、ハウジングにある窓を含み、窓の背後には、４つの多色光源（例えば、前壁１８の背後の回路基板に取り付けられたＬＥＤ）のそれぞれの１つがある。窓は、光源からの光が通過することができるハウジング１２の半透明部分、透明部分、又は切取り部分であってよい。４つのセグメントは、それぞれ、異なる種類の情報を表示するために、異なる時間に、静的又は動的のいずれかで、異なる色（赤色、緑色、橙色、青色など）で独立的に照らされてよい。バーグラフ型ディスプレイを形成するために、ディスプレイ３０の４つのセグメントを、一端から他端に向かって進行的に(progressively)点灯させることができる。ディスプレイスイッチ３２が、ユーザによる作動のためにディスプレイ３０に隣接して配置され、ディスプレイ３０によって提示される情報を制御する異なるディスプレイコマンドの入力を可能にする。ディスプレイスイッチ３２は、瞬時スイッチ(momentary  switch)であってよい。
【００２３】
図１Ｂは、ハウジング１２の後端の上方部分が、電気端子３６を有するポート３４で形成されていることを示している。ポート３４は、パワーツール又は充電器上の対応する構造と係合して、パワーツール又は充電器との機械的及び電気的接続を確立するように構成される。従来のように、接続は、プラグ及びソケット接続(plug-and-socket)の形態であってよい。ハウジング１２の後端から前端に向かって実質的に水平に延びる２つのガイドレール３８が、ハウジング１２の側壁２８に配置されている。レール３８は、バッテリパック１０とパワーツール又は充電器との係合を容易にするために、パワーツール又は充電器上の対応する構造と係合するよう配置される。任意的に、バッテリパック１０をパワーツール又は充電器に固定するために、パワーツール又は充電器にラッチ機構（図示せず）を設けてよい。
【００２４】
図２は、図１Ａ及び図１Ｂのバッテリパック１０内に含められる主要な機能的構成要素(main  functional  component)を例示している。図２に示すように、再充電可能なバッテリパック１０は、複数のセルによって形成されるような再充電可能なバッテリ４０を含む。充電センサ４２が、その充電レベル、即ち、電圧形態の残存電力を感知するために、バッテリ４０と接続される。例えば、バッテリパック４０が連結されるパワーツールの使用によって、バッテリ４０から引き出される電流レベルを感知するために、電流センサ４４がバッテリ４０と接続される。バッテリ４０の異常状態を検出するために、バッテリ４０と接続される異常検出器４６も設けられる。異常検出器４６は、バッテリパック１０に関連する以下の状態、即ち、通信不良、過負荷、過放電、過熱、過小温度(under-temperature)、短絡、ツール不適合、充電器不適合などのうちの１以上を検出するように動作可能な１以上のセンサを含んでよい。バッテリパック１０は、バッテリ充電レベルが所定のレベルの間で上昇するバッテリ充電サイクルを検出するためにバッテリ４０と動作可能に接続される充電サイクル検出器４８と、バッテリ充電サイクルの累積数を記録するメモリ５０とを更に含んでよい。
【００２５】
図２の異常検出器４６は、別個の機能モジュールとして記載されているが、図２に示す検出器／センサ／コントローラと無関係に、或いはそれらとの組み合わせにおいて、異なる電子構成要素で実現されてよいことが理解されるであろう。一例において、異常検出器４６は、バッテリパックのコントローラ５２と通信する対応するコントローラを有する検出器であってよい。別の例において、異常検出器４６は、それぞれのセンサ及びそれらに接続される検出器からの異常信号を検出するコントローラ５２の部分であってよい。代替的に、異常検出器４６は、対応する検出器及びコントローラ５２によって実装されてよい。この場合、コントローラ５２は、対応する検出器によって得られる測定値に基づいて異常を検出するように動作可能であってよい。検出器４６がバッテリ４０の温度を検出する温度センサである例において、コントローラ５２は、検出される温度に基づいて、過熱状態が発生したか否かを判定するように動作可能である。
【００２６】
図２において、コントローラ５２は、セグメントを進行的に点灯させて異なる情報を表すよう、ディスプレイ３０の点灯状態を制御するために、センサ及び検出器４２、４４、４６、４８と通信するために、ディスプレイスイッチ３２、ディスプレイ３０、メモリ５０、及び様々なセンサ及び検出器４２、４４、４６、４８と接続される。
【００２７】
初期設定で、バッテリパック１０の通常使用中、バッテリパック１０がパワーツールに取り付けられているときに、及びパワーツールトリガがオンである（即ち、パワーツールが作動している）ときに、コントローラ５２は、電流センサ４４によって検出される電流のレベルを示すために、電流ディスプレイ状態(current  display  state)で作動させるようにディスプレイ３０を制御する。電流ディスプレイ状態は、コントローラ５２がディスプレイ状態の変更の必要を決定しない限り、ユーザに指標(インジケータ)(indicator)を提供するように使用中にアクティブなままである。
【００２８】
電流ディスプレイ状態の間に、ユーザが（例えば、単一のプレスによって、又は１０秒未満に亘ってスイッチを押して保持することによって）瞬時ディスプレイスイッチ３２を起動すると、コントローラ５２は、これを第１のディスプレイコマンドとして識別し、相応してディスプレイ３０を充電ディスプレイ状態(charge  display  state)に切り替え、ディスプレイ３０を制御して、所定の持続時間（例えば、２秒）に亘って、充電センサ４２によって検出される充電のレベルを表示する。所定の持続時間が経過した後に、コントローラは、電流ディスプレイ状態に戻り、パワーツールの使用によって引き出される電流のレベルを（上述のように）表示する。充電ディスプレイ状態は、ディスプレイ３０のセグメントの照明の色に関して、電流ディスプレイ状態と異なることがある。
【００２９】
電流ディスプレイ状態の間に、ユーザが所定の持続時間閾値を上回る時間期間（例えば、１０秒）に亘ってディスプレイスイッチ３２を連続的に作動させると、コントローラ５２は、第２のディスプレイコマンドを識別し、ディスプレイ３０をサイクルディスプレイ状態(cycle  display  state)に切り替え、ディスプレイ３０を制御して、所定の持続時間（例えば、２秒）に亘ってバッテリ充電サイクルの累積数のレベルを表示する。コントローラ５２は、バッテリ充電サイクルの累積数を得るためにメモリ５０と通信する。所定の持続時間が経過した後に、コントローラは、電流ディスプレイ状態に戻り、パワーツールの使用によって引き出される電流のレベルを（上述のように）表示する。サイクルディスプレイ状態は、ディスプレイ３０のセグメントの照明の色に関して、充電ディスプレイ状態及び電流ディスプレイ状態の両方と異なってよい。
【００３０】
通常使用の間に、異常検出器４６による異常状態の検出の後に、コントローラ５２は、ディスプレイ３０を異常ディスプレイ状態(abnormality  display  state)に切り替え、ディスプレイ３０のセグメントの点灯状態を制御して、異常の発生を示して、電流ディスプレイ状態におけるディスプレイ及び充電ディスプレイ状態におけるディスプレイの両方と異なるディスプレイを提供する。異常ディスプレイ状態は、セグメントの照明パターンに関して、充電ディスプレイ状態及び電流ディスプレイ状態の両方と異なってよい。異常ディスプレイ状態は、バッテリパック１０での異常状態が軽減されるまで、充電ディスプレイ状態、電流ディスプレイ状態、及びサイクルディスプレイ状態をオーバーライドして(override)よい。一例において、異常ディスプレイ状態は、ディスプレイスイッチ３２の作動後でさえも維持される。
【００３１】
ディスプレイ３０の例示的なディスプレイパターンの詳細を図３に関して更に記載する。図３に示すように、ディスプレイ３０は、線形配列において互いに等間隔に離間する４つの同等のセグメント３０Ａ〜３０Ｄを含む。セグメント３０Ａ〜３０Ｄの各々は、異なる色で、静的又は動的に照明されてよい。
【００３２】
動作中、バッテリパック１０がパワーツールに取り付けられているときに、及びパワーツールのトリガがオンである（即ち、動作している）ときに、コントローラ５２は、初期設定の電流ディスプレイ状態において作動するようにディスプレイ３０を制御し、荷重計(load  gauge)として作用する。本実施形態の５８Ｖバッテリパックでは、電流センサ４４によって決定されるようなバッテリパック１０から引き出される電流が２０Ａを下回るとき、セグメント３０Ａ〜３０Ｄのいずれも点灯しない。電流センサ４４によって決定されるようなバッテリパック１０から引き出される電流が２０Ａ〜３０Ａの間であるときに、セグメント３０Ａは、常に橙色で点灯する。電流センサ４４によって決定されるようなバッテリパック１０から引き出される電流が３０Ａ〜４０Ａの間であるときに、セグメント３０Ａ、３０Ｂは、常に橙色で点灯する。電流センサ４４によって決定されるようなバッテリパック１０から引き出される電流が４０Ａ〜５０Ａの間であるときに、３つのセグメント３０Ａ〜３０Ｃは、常に橙色で点灯する。電流センサ４４によって決定されるようなバッテリパック１０から引き出される電流が５０Ａを上回るときに、４つのセグメント３０Ａ〜３０Ｄの全ては、常に橙色で点灯する。この電流ディスプレイ状態では、照らされるときに、照明の色及び強度は、概ね一定なままである。コントローラ５２は、ディスプレイ状態の変更が必要であると決定しない限り、パワーツールの動作中に、電流ディスプレイ状態でディスプレイ３０を連続的に作動させる。
【００３３】
通常動作中に、ディスプレイ３０が電流ディスプレイ状態にあり、ユーザがディスプレイスイッチ３２を瞬間的に作動させるときに、コントローラ５２は、ディスプレイを、ディスプレイ３０が所定の時間、好ましくは２秒に亘って燃料計として作用する充電ディスプレイ状態に切り替え、次に、電流ディスプレイ状態に戻る。本実施形態の５８Ｖバッテリパックでは、充電センサ４２によって決定されるようなバッテリパック１０の電圧レベルが４９．５Ｖを下回るときには、セグメント３０Ａのみが、２秒に亘って常に緑色で点灯する。充電センサ４２によって決定されるようなバッテリパック１０の電圧レベルが４９．５Ｖ〜５２．２８Ｖの間であるとき、２つの隣接するセグメント３０Ａ、３０Ｂは、２秒に亘って常に緑色で点灯する。充電センサ４２によって決定されるようなバッテリパック１０の電圧レベルが５２．２８Ｖ〜５５．５１Ｖの間であるとき、３つのセグメント３０Ａ〜３０Ｃは、２秒に亘って常に緑色で点灯する。充電センサ４２によって決定されるようなバッテリパック１０の電圧レベルが５５．５１Ｖを上回るとき、全ての４つのセグメント３０Ａ〜３０Ｄは、２秒に亘って常に緑色で点灯する。この充電ディスプレイ状態では、照らされると、照明の色及び強度は概ね一定なままであるが、電流ディスプレイ状態における照明の色及び強度とは異なる。
【００３４】
通常動作中に、ディスプレイ３０が電流ディスプレイ状態にあり、ユーザがディスプレイスイッチ３２を所定の閾値、例えば、１０秒を超える長期の時間期間に亘って作動させるとき、コントローラ５２は、ディスプレイ３０をサイクルディスプレイ状態に切り替え、サイクルディスプレイ状態において、ディスプレイ３０は、所定の時間、好ましくは、２秒に亘って充電サイクルインジケータとして作用し、次に、電流ディスプレイ状態に戻る。メモリ５０内に記録されるようなバッテリパック１０の充電サイクルの累積数が１２５回未満であるとき、セグメント３０Ａは、２秒間に亘って常に赤色で点灯する。メモリ５０に記録されるようなバッテリパック１０の充電サイクルの累積数が１２６〜２５０回の間にあるとき、２つのセグメント３０Ａ、３０Ｂは、２秒に亘り常に赤色で点灯する。メモリ５０に記録されるようなバッテリパック１０の充電サイクルの累積数が２５１〜３２５回の間にあるとき、３つのセグメント３０Ａ〜３０Ｃは、３秒に亘り常に赤色で点灯する。メモリ５０に記録されるようなバッテリパック１０の充電サイクルの累積数が３２６〜５００回の間にあるとき、全ての４つのセグメント３０Ａ〜３０Ｄは、２秒に亘り常に赤色で点灯する。メモリ５０に記録されるようなバッテリパック１０の充電サイクルの累積数が５００回を超えると、セグメント３０Ａは、他のセグメント３０Ｂ−３０Ｄがオフである間に２秒に亘り赤色で点滅する。
【００３５】
動作中の任意の時点で、異常状態が異常検出器４６によって検出されるとき、コントローラ５２は、異常状態が終了するまで、ディスプレイ３０を異常ディスプレイ状態に切り替えるように構成される。換言すれば、異常状態が発生し、持続するとき、ディスプレイスイッチ３２の作動は、ディスプレイ３０の状態を電流ディスプレイ状態又はサイクルディスプレイ状態に変更しない。異常状態が持続するならば、異常ディスプレイ状態は、電流ディスプレイ状態、充電ディスプレイ状態、サイクルディスプレイ状態の各々をオーバーライドする。一例では、過大電圧又は過小電圧状態が異常検出器４６によって検出され、コントローラ５２に伝達されるとき、コントローラ５２は、ディスプレイスイッチ３２の作動及びパワーツールの動作状態とは無関係に、ディスプレイ３０を異常ディスプレイ状態で作動させて、ディスプレイ３０の全ての４つのセグメント３０Ａ〜３０Ｄを緑色で連続的に点滅させる。別の例では、過負荷状態が異常検出器４６によって検出され、コントローラ５２に伝達されるとき、コントローラ５２は、ディスプレイスイッチ３２の作動及びパワーツールの動作状態とは無関係に、ディスプレイ３０を異常ディスプレイ状態で作動させて、ディスプレイ３０の全ての４つのセグメント３０Ａ〜３０Ｄを橙色で連続的に点滅させる。過熱状態が異常検出器４６によって検出され、コントローラ５２に伝達されるとき、コントローラ５２は、表示スイッチ３２で受信される入力及びパワーツールの動作状態とは無関係に、ディスプレイ３０を異常ディスプレイ状態で作動させて、ディスプレイ３０の全ての４つのセグメント３０Ａ〜３０Ｄを連続的に赤色で作動させる。１つの実施形態において、セル不均衡状態（例えば、インピーダンス不均衡）が異常検出器４６によって検出され、コントローラ５２に伝達されるとき、コントローラ５２は、ディスプレイ３０を異常表示状態で作動させて、ディスプレイ３０の４つのセグメント３０Ａ〜３０Ｄを交互の色（例えば、緑色〜橙色〜緑色〜橙色）で連続的に点灯させて、保守のためにバッテリパック１０を充電器に入れる必要があることを示す。
【００３６】
情報を提示するためにバッテリパックのディスプレイを制御する方法は、上述の色、パターン、及びタイミングに限定されないことが理解されるであろう。本発明のバッテリパックは、異なる化学的性質、異なる（複数の）公称電圧、例えば、１８Ｖ、３６Ｖ、及び／又は異なる容量、例えば、１Ａｈ、２Ａｈを有してもよい。
【００３７】
ほんの一例として本発明の態様を記載した。本発明の範囲から逸脱することなく本発明に対する修正及び追加が行われてよいことが理解されるべきである。
【図１Ａ】
0006796722.tif 000002
【図１Ｂ】
0006796722.tif 000003
【図２】
0006796722.tif 000004
【図３】
0006796722.tif 000005